(57)【要約】  バックライトモジュールであって、ゴム枠（１１）、導光板（１２）、反射シート（１３）、バックライト（１５）及び光学フィルム（１７）を備え、導光板（１２）、光学フィルム（１７）が順に反射シート（１３）に重ねて設置され、ゴム枠（１１）が導光板（１２）及び光学フィルム（１７）の周りに設置されて、バックライト（１５）を収容し、バックライトモジュールは更に量子ドットフィルム（１４）を備え、ゴム枠（１１）の内周面に緑色補助光層が設けられ、バックライト（１５）が導光板（１２）の入光面（１２１）とゴム枠（１１）との間に位置し、量子ドットフィルム（１４）が導光板（１２）に重ね合わせられて、導光板（１２）と光学フィルム（１７）との間に位置する。更に表示装置を開示する。
2019514189.tif 000002
【特許請求の範囲】
【請求項１】
ゴム枠、導光板、反射シート、バックライト及び光学フィルムを含み、前記導光板、光学フィルムが順に前記反射シートに重ねて設置され、前記ゴム枠が前記導光板及び光学フィルムの周りに設置されて、前記バックライトを収容するバックライトモジュールであって、
前記バックライトモジュールは更に量子ドットフィルムを含み、前記ゴム枠の内周面に緑色補助光層が設けられ、前記バックライトが前記導光板の入光面と前記ゴム枠との間に位置し、前記量子ドットフィルムが前記導光板と重ね合わせられて、前記導光板と前記光学フィルムとの間に位置するバックライトモジュール。
【請求項２】
前記バックライトは回路基板及び青色ＬＥＤを含み、前記青色ＬＥＤが前記回路基板に取り付けられて、前記入光面に向かっている請求項１に記載のバックライトモジュール。
【請求項３】
前記ゴム枠の材料が緑色ＰＣであり、前記緑色補助光層は前記ゴム枠と材料が同じであって、一体成形される請求項１に記載のバックライトモジュール。
【請求項４】
前記緑色補助光層が前記ゴム枠の内周面に貼り付けられ又はスプレーされ、又はゴム枠にドープされるように一体成形され、その材料が緑色ＰＥＴ、緑色ＰＩ、緑色蛍光体又は緑色ＱＤである請求項１に記載のバックライトモジュール。
【請求項５】
前記導光板は出光面及び底面を含み、前記入光面が前記出光面及び前記底面に接続され、前記底面に網掛け状のドットが設けられる請求項１に記載のバックライトモジュール。
【請求項６】
液晶表示モジュール及びバックライトモジュールを含み、前記バックライトモジュールはゴム枠、導光板、反射シート、バックライト及び光学フィルムを含み、前記導光板、光学フィルムが順に前記反射シートに重ねて設置され、前記ゴム枠が前記反射シート、導光板及び光学フィルムの周りに設置される表示装置であって、
前記バックライトモジュールは更に量子ドットフィルムを含み、前記ゴム枠の内周面に緑色補助光層が設けられ、前記バックライトが前記導光板の入光面と前記ゴム枠との間に位置し、前記量子ドットフィルムが前記導光板と重ね合わせられて、前記導光板と前記光学フィルムとの間に位置し、前記液晶表示モジュールが前記バックライトモジュールに取り付けられて、前記光学フィルムを被覆する表示装置。
【請求項７】
前記バックライトは回路基板及び青色ＬＥＤを備え、前記青色ＬＥＤが前記回路基板に取り付けられて、前記入光面に向かっている請求項６に記載の表示装置。
【請求項８】
前記ゴム枠の材料が緑色ポリカーボネートであり、前記緑色補助光層がゴム枠の内周面又はゴム枠本体である請求項６に記載の表示装置。
【請求項９】
前記緑色補助光層が前記ゴム枠の内周面に貼り付けられ又はスプレーされ、又はゴム枠にドープされるように一体成形され、その材料が緑色ＰＥＴ、緑色ＰＩ、緑色蛍光体である請求項６に記載の表示装置。
【請求項１０】
前記導光板は出光面及び底面を含み、前記入光面が前記出光面及び前記底面に接続され、前記底面に網掛け状のドットが設けられる請求項６に記載の表示装置。
【発明の詳細な説明】
【技術分野】
【０００１】
本発明は、２０１６年５月１０日に出願された「バックライトモジュール及び表示装置」を発明の名称とする出願第２０１６１０３０４３９０．０号に基づき優先権を主張し、上記出願された内容をここに援用する。
【０００２】
本発明は、液晶表示技術分野に関し、特にバックライトモジュール及び表示装置に関する。
【背景技術】
【０００３】
液晶表示装置（Ｌｉｑｕｉｄ  Ｃｒｙｓｔａｌ  Ｄｉｓｐｌａｙ、ＬＣＤ）は本体が薄く、節電し、放射能汚染がないといった多くの利点を有するため、携帯電話、パーソナルデジタルアシスタント（ＰＤＡ）、デジタルカメラ、コンピュータ画面又はノートパソコン画面等に広く応用されている。現在、市販されている多くの液晶表示装置はバックライト式液晶表示装置であり、ハウジング、ハウジング内に設けられる液晶パネル、及びハウジング内に設けられるバックライトモジュール（Ｂａｃｋｌｉｇｈｔ  ｍｏｄｕｌｅ）を備える。
【０００４】
現在、市場で流行っている技術は、量子ドット（ｑｕａｎｔｕｍ ｄｏｔ）を用いてバックライト色域を改良することであり、量子ドットが準ゼロ次元のナノ材料であって、少量の原子からなり、その粒径が一般的に１〜１０ｎｍの間にあり、電子及び正孔が量子に閉じ込められるため、連続したバンド構造が分子特性を有する離散エネルギー準位構造となって、誘導後に蛍光を発光し、更に注入光の色域を変化させることができる。量子ドットバックライト技術は、表示デバイスの色域レベルを１００％以上に向上させることができる。従来の量子ドットバックライト技術は主に、拡散フィルムの代わりに量子ドットをポリエステルフィルムに分散塗布することと、量子ドットをガラス管内に封止し、ガラス管を青色ＬＥＤと導光板との間に置くこととされているという２種類であるが、量子ドットフィルムは、水・酸素等の外部条件の影響を受けやすいため、縁部を裁断する際に、水・酸素の一部が滲み込み、縁部が使用不可能になるという問題がある。その理由は、主に緑色量子ドットの粒径が赤色量子ドットより小さく、表面エネルギーが高く、水・酸素との反応が失敗しやすく、失敗領域が赤紫色を呈するためである。
【発明の概要】
【発明が解決しようとする課題】
【０００５】
本発明の解決しようとする技術的問題は、バックライトモジュール及び表示装置を提供することであり、縁部の量子フィルムが使用不可能になるため、異常表示が発生することを避ける。
【課題を解決するための手段】
【０００６】
上記目的を実現するために、本発明の実施形態は以下の技術案を提供する。
【０００７】
本発明に係るバックライトモジュールであって、ゴム枠、導光板、反射シート、バックライト及び光学フィルムを備え、前記導光板、光学フィルムが順に前記反射シートに重ねて設置され、前記ゴム枠が前記反射シート、導光板及び光学フィルムの周りに設置され、前記バックライトモジュールは更に量子ドットフィルムを備え、前記ゴム枠の内周面に緑色補助光層が設けられ、前記バックライトが前記導光板の入光面と前記ゴム枠との間に位置し、前記量子ドットフィルムが前記導光板に重ね合わせられて、前記導光板と前記光学フィルムとの間に位置する。
【０００８】
前記バックライトは回路基板及び青色ＬＥＤを備え、前記青色ＬＥＤが前記回路基板に取り付けられて、前記入光面に向かっている。
【０００９】
前記ゴム枠の材料が緑色ＰＣであり、前記緑色補助光層は材料が緑色ＰＣであって、前記ゴム枠と一体成形される。
【００１０】
前記緑色補助光層が前記ゴム枠の内周面に貼り付けられ又はスプレーされ、又はゴム枠にドープされるように一体成形され、その材料が緑色ＰＥＴ、緑色ＰＩ、緑色蛍光体である。
【００１１】
前記導光板は出光面及び底面を含み、前記入光面が前記出光面及び前記底面に接続され、前記底面に網掛け状のドットが設けられる。
【００１２】
本願に係る表示装置であって、液晶表示モジュール及びバックライトモジュールを含み、前記バックライトモジュールはゴム枠、導光板、反射シート、バックライト及び光学フィルムを備え、前記導光板、光学フィルムが順に前記反射シートに重ねて設置され、前記ゴム枠が前記反射シート、導光板及び光学フィルムの周りに設置され、前記バックライトモジュールは更に量子ドットフィルムを備え、前記ゴム枠の内周面に緑色補助光層が設けられ、前記バックライトが前記導光板の入光面と前記ゴム枠との間に位置し、前記量子ドットフィルムが前記導光板に重ね合わせられて、前記導光板と前記光学フィルムとの間に位置し、前記液晶表示モジュールが前記バックライトモジュールに取り付けられて、前記光学フィルムを被覆する。
【００１３】
前記バックライトは回路基板及び青色ＬＥＤを備え、前記青色ＬＥＤが前記回路基板に取り付けられて、前記入光面に向かっている。
【００１４】
前記ゴム枠の材料が緑色ＰＣであり、前記緑色補助光層がゴム枠の内周面である。
【００１５】
前記緑色補助光層が前記ゴム枠の内周面に貼り付けられ又はスプレーされ、又はゴム枠にドープされるように一体成形され、その材料が緑色ＰＥＴ、緑色ＰＩ又は緑色蛍光体である。
【００１６】
前記導光板は出光面及び底面を含み、前記入光面が前記出光面及び前記底面に接続され、前記底面に網掛け状のドットが設けられる。
【００１７】
本発明のバックライトモジュールのゴム枠本体に反射された緑色光線がバックライトモジュールの縁部の光輝度をある程度向上することにより、量子ドットフィルムの縁部が使用不可能になるため、表示装置に異常表示が発生するという問題を解決する。本発明の解決しようとする技術的問題は、バックライトモジュール及び表示装置を提供することであり、縁部の量子フィルムが使用不可能になるため、異常表示が発生することを避ける。
【００１８】
上記目的を実現するために、本発明の実施形態は以下の技術案を提供する。
【００１９】
本発明に係るバックライトモジュールであって、ゴム枠、導光板、反射シート、バックライト及び光学フィルムを備え、前記導光板、光学フィルムが順に前記反射シートに重ねて設置され、前記ゴム枠が前記反射シート、導光板及び光学フィルムの周りに設置され、前記バックライトモジュールは更に量子ドットフィルムを備え、前記ゴム枠の内周面に緑色補助光層が設けられ、前記バックライトが前記導光板の入光面と前記ゴム枠との間に位置し、前記量子ドットフィルムが前記導光板に重ね合わせられて、前記導光板と前記光学フィルムとの間に位置する。
【００２０】
前記バックライトは回路基板及び青色ＬＥＤを備え、前記青色ＬＥＤが前記回路基板に取り付けられて、前記入光面に向かっている。
【００２１】
前記ゴム枠の材料が緑色ＰＣであり、前記緑色補助光層は材料が緑色ＰＣであって、前記ゴム枠と一体成形される。
【００２２】
前記緑色補助光層が前記ゴム枠の内周面に貼り付けられ又はスプレーされ、又はゴム枠にドープされるように一体成形され、その材料が緑色ＰＥＴ、緑色ＰＩ、緑色蛍光体である。
【００２３】
前記導光板は出光面及び底面を含み、前記入光面が前記出光面及び前記底面に接続され、前記底面に網掛け状のドットが設けられる。
【００２４】
本願に係る表示装置であって、液晶表示モジュール及びバックライトモジュールを含み、前記バックライトモジュールはゴム枠、導光板、反射シート、バックライト及び光学フィルムを備え、前記導光板、光学フィルムが順に前記反射シートに重ねて設置され、前記ゴム枠が前記反射シート、導光板及び光学フィルムの周りに設置され、前記バックライトモジュールは更に量子ドットフィルムを備え、前記ゴム枠の内周面に緑色補助光層が設けられ、前記バックライトが前記導光板の入光面と前記ゴム枠との間に位置し、前記量子ドットフィルムが前記導光板に重ね合わせられて、前記導光板と前記光学フィルムとの間に位置し、前記液晶表示モジュールが前記バックライトモジュールに取り付けられて、前記光学フィルムを被覆する。
【００２５】
前記バックライトは回路基板及び青色ＬＥＤを備え、前記青色ＬＥＤが前記回路基板に取り付けられて、前記入光面に向かっている。
【００２６】
前記ゴム枠の材料が緑色ＰＣであり、前記緑色補助光層がゴム枠の内周面である。
【００２７】
前記緑色補助光層が前記ゴム枠の内周面に貼り付けられ又はスプレーされ、又はゴム枠にドープされるように一体成形され、その材料が緑色ＰＥＴ、緑色ＰＩ又は緑色蛍光体である。
【００２８】
前記導光板は出光面及び底面を含み、前記入光面が前記出光面及び前記底面に接続され、前記底面に網掛け状のドットが設けられる。
【発明の効果】
【００２９】
本発明のバックライトモジュールのゴム枠本体に反射された緑色光線がバックライトモジュールの縁部の光輝度をある程度向上することにより、量子ドットフィルムの縁部が使用不可能になるため、表示装置に異常表示が発生するという問題を解決する。
【図面の簡単な説明】
【００３０】
本発明の技術案をより明確に説明するために、以下に実施形態の記述において必要な図面を用いて簡単に説明を行うが、当然ながら、以下に記載する図面は単に本発明の実施形態の一例であって、当業者であれば、創造的な労力を要することなく、これらの図面に基づいて他の図面に想到しうる。
【００３１】
【図１】図１は本発明の好適な実施形態におけるバックライトモジュールの断面模式図である。
【図２】図２は図１に示すバックライトモジュールの他の視角の断面模式図である。
【図３】図３は本発明におけるバックライトモジュールを有する表示装置の断面模式図である。
【発明を実施するための形態】
【００３２】
以下、本発明の実施形態における図面を参照しながら、本発明の実施形態における技術案を明確且つ完全に説明する。
【００３３】
図１及び図２に示すように、本発明の好適な実施例に係るバックライトモジュールであって、ゴム枠１１、導光板１２、反射シート１３、バックライト１５及び光学フィルム１７を備える。前記導光板１２、光学フィルム１７が順に前記反射シート１３に重ねて設置され、前記ゴム枠１１が導光板１２及び光学フィルム１７の周りに設置されて、前記バックライトを収容する。前記バックライトモジュールは更に量子ドットフィルム１４を備え、前記ゴム枠１１の内周面に緑色補助光層（図示せず）が設けられ、前記バックライト１５が前記導光板１２の入光面１２１と前記ゴム枠１１との間に位置し、前記量子ドットフィルム１４が前記導光板１２に重ね合わせられて、前記導光板１２と前記光学フィルム１７との間に位置する。光学フィルム１７、量子ドットフィルム１４、導光板１２及び反射シート１３が順に重ねて設置される。
【００３４】
本実施例において、前記ゴム枠１１が矩形枠体であり、第一側周面及び第二側周面を含む。前記第二側周面が前記反射シート１３の周りに貼り付け固定され、前記反射シート１３は導光板の裏面に露出する光線を導光板に反射させることに用いられ、それにより光線利用率を向上させる。
【００３５】
本実施例において、前記ゴム枠１１の材料が緑色ポリカーボネート（Ｐｏｌｙｃａｒｂｏｎａｔｅ、ＰＣ）であることにより、ゴム枠１１全体をいずれも緑色にする。前記緑色補助光層の材料が緑色ポリカーボネート（Ｐｏｌｙｃａｒｂｏｎａｔｅ、ＰＣ）であって、ゴム枠１１と一体成形されることは、緑色補助光層がゴム枠１１の内周面であると理解されてもよい。この構造はプロセス的にゴム枠を直接形成すればよく、バックライトモジュールの構造を簡素化させ、プロセスが簡単で、工程を簡素化し、且つ緑色補助光層の精度を確保する。他の実施形態において、前記緑色補助光層が前記ゴム枠の内周面に貼り付けられ又はスプレーされ、又はゴム枠にドープされるように一体成形され、その材料が緑色（ポリエチレンテレフタレート系プラスチック、Ｐｏｌｙｅｔｈｙｌｅｎｅ  ｔｅｒｅｐｈｔｈａｌａｔｅ、ＰＥＴ）、緑色ポリイミド（Ｐｏｌｙｉｍｉｄｅ、ＰＩ）、緑色蛍光体である。
【００３６】
本実施例において、前記導光板１２は出光面１２２及び底面１２３を含み、前記入光面１２１が前記出光面１２２及び前記底面１２３に接続され、前記底面１２３に網掛け状のドットが設けられることにより、前記導光板１２の導光効果を向上させる。前記量子ドットフィルム１４が入光面１２１に重ね合わせられる。
【００３７】
本実施例において、前記バックライト１５は回路基板及び青色ＬＥＤ１５１を備え、前記青色ＬＥＤ１５１が前記回路基板に取り付けられて、前記入光面１２１に向かっている。前記量子ドットフィルム１４がゴム枠１１の周囲に位置し、裁断時に水・酸素の一部が滲み込むため、縁部が使用不可能になる周囲領域を形成する。本願のバックライトモジュールは緑色のゴム枠１１を用いるため、ゴム枠１１本体が導光板を透過した青色ＬＥＤ１５１に照明されてから反射した緑色光線は、バックライトモジュールの縁部の光輝度をある程度向上し、つまりゴム枠１１に反射された緑色光はＬＥＤの青色、及び量子ドットフィルム１４がゴム枠１１の縁部に位置する使用不可能になった周囲領域の赤色光と混合して、白色光になることにより、量子ドットフィルム１４の縁部の失敗領域を紅紫色から正常領域に一致する白色に変化させ、それにより、量子ドットフィルム１４の縁部が使用不可能になるため、異常表示が発生するという問題を解決する。
【００３８】
図３に示すように、本発明は更に表示装置に関し、前記表示装置はバックライトモジュール及び液晶パネル２０を備え、前記液晶パネル２０がバックライトモジュールに取り付けられて、前記光学フィルム１７の上方に位置し、且つ両面テープ２１で固定される。バックライトモジュールのゴム枠１１本体に反射された緑色光線は、バックライトモジュールの縁部の光輝度をある程度向上することにより、量子ドットフィルム１４の縁部が使用不可能になるため、表示装置に異常表示が発生するという問題を解決する。
【００３９】
以上の説明は本発明の好適な実施形態であり、ただし、当業者であれば、本発明の原理を逸脱せずに、種々の改良及び修飾を行うことができ、これらの改良及び修飾も本発明の保護範囲に属すると見なされている。
【図１】
2019514189.tif 000003
【図２】
2019514189.tif 000004
【図３】
2019514189.tif 000005
【国際調査報告】
2019514189.tif 000006
2019514189.tif 000007
2019514189.tif 000008
2019514189.tif 000009